(57)【要約】  ボトルまたはその他の容器のための王冠は、頂部部分と、頂部部分から切れ目なく隣接して降下する環状スカートとを有する。オープナアセンブリおよび王冠上の破断可能な罫書き線構成は、ボトルまたは容器を開封しやすくする。波形化実施形態は、縮小ゲージ王冠の材料強化をもたらす。
2014531372.tif 000002
【特許請求の範囲】
【請求項１】
容器開口部のための破断可能な王冠であって、前記王冠が、
取付部を有する頂部部分と、
前記頂部部分から降下し、底部環状縁部で終端する環状スカートと、
前記頂部部分に対して前記取付部で取り付けられるオープナアセンブリと、
破断可能な罫書き構成であって、
前記取付部から前記スカートの底部環状縁部まで連続的に半径方向へ延在する第１の罫書き線と、
第２の曲線をなす罫書き線であって、
前記頂部部分の取付部から前記スカートの環状側壁まで連続的に半径方向へ延在する上側半径方向セグメント、および
前記上側半径方向セグメントから、前記スカートの底部環状縁部から実質的に離間した終点まで前記スカートの環状側壁に沿って周囲に延在する下側環状セグメントを備える第２の曲線をなす罫書き線とを備える、破断可能な罫書き構成と
を備える、容器開口部のための破断可能な王冠。
【請求項２】
前記オープナアセンブリが、
プルタブリングと、
前記プルタブリングに取り付けられるプルタブと、
前記プルタブおよび前記頂部部分の取付部に取り付けられる鋲と
をさらに備える、請求項１に記載の王冠。
【請求項３】
前記オープナアセンブリが、前記プルタブの下にレバーをさらに備える、請求項２に記載の王冠。
【請求項４】
前記頂部部分が中心部分をさらに備え、前記取付部が前記中心部分にある、請求項１に記載の王冠。
【請求項５】
前記頂部部分が中心部分をさらに備え、前記取付部が前記中心部分を外してある、請求項１に記載の王冠。
【請求項６】
前記頂部部分が、陥凹した座部をさらに備える、請求項２に記載の王冠。
【請求項７】
前記罫書き線のうちの少なくとも１本が先細にされて、前記スカートの底部環状縁部付近で、前記取付部付近よりも深くなる、請求項１に記載の王冠。
【請求項８】
手で王冠を外すのを容易にするために、前記頂部部分上に窪みを備える、請求項１に記載の王冠。
【請求項９】
前記頂部部分および前記スカートの反対側かつこれらに画定される内側下部と、前記内側下部に留められたライナとをさらに備える、請求項１に記載の王冠。
【請求項１０】
前記プルタブリングの上にクッションをさらに備える、請求項１に記載の王冠。
【請求項１１】
前記頂部部分が波形にされる、請求項１に記載の王冠。
【請求項１２】
０．１２ｍｍ〜２８ｍｍの範囲の王冠厚さゲージをさらに備える、請求項１に記載の王冠。
【請求項１３】
前記破断可能な罫書き構成が、前記破断可能な王冠の破断可能部分を画定し、前記破断可能部分が、前記取付部から前記スカートの底部環状縁部まで外向きに延在し、前記破断可能部分が、断面において湾曲したプロファイル形状を有する、請求項１に記載の王冠。
【請求項１４】
前記破断可能な罫書き構成が、前記破断可能な王冠の破断可能部分を画定し、前記破断可能部分が、前記取付部から前記スカートの底部環状縁部まで外向きに延在し、前記破断可能部分が、断面において正方形の形状を有する、請求項１に記載の王冠。
【請求項１５】
前記破断可能な罫書き構成が、前記破断可能な王冠の破断可能部分を画定し、前記破断可能部分が、前記取付部から前記スカートの底部環状縁部まで外向きに延在し、前記破断可能部分が、断面においてＶ字形の形状を有する、請求項１に記載の王冠。
【請求項１６】
前記破断可能な罫書き構成の前記罫書き線のうちの少なくとも１本が、壊す際の鋭利でない縁部をもたらす、請求項１に記載の王冠。
【請求項１７】
前記スカートが、複数のヒダを備える、請求項１に記載の王冠。
【請求項１８】
前記スカートが、ヒダをもたない、請求項１に記載の王冠。
【請求項１９】
前記第１の罫書き線が曲線をなす、請求項１に記載の王冠。
【請求項２０】
容器開口部のための破断可能な王冠であって、前記王冠が、
取付部を有する頂部部分と、
前記頂部部分から降下し、底部環状縁部で終端する環状スカートと、
前記頂部部分に対して前記取付部で取り付けられるオープナアセンブリと、
破断可能な罫書き構成であって、
前記取付部から前記スカートの底部環状縁部まで連続的に半径方向へ延在する第１の曲線をなす罫書き線と、
第２の曲線をなす罫書き線であって、
前記頂部部分の前記取付部から前記スカートの環状側壁まで連続的に半径方向へ延在する上側半径方向セグメント、および
前記上側半径方向セグメントから、前記スカートの底部環状縁部から実質的に離間した終点まで前記スカートの環状側壁に沿って周囲に延在する下側環状セグメントを備える、第２の曲線をなす罫書き線と
を備える、破断可能な罫書き構成と
を備える、容器開口部のための破断可能な王冠。
【発明の詳細な説明】
【技術分野】
【０００１】
関連出願の相互参照
本出願は、２０１１年１０月６日に出願された、同じ表題の「Ｅａｓｙ−Ｐｕｌｌ  Ｂｏｔｔｌｅ  Ｃａｐ」と題するＡｂｅ  Ｆｒｉｃｈｍａｎによる同時係属米国特許出願第１３／２６７，２６４号に関し、またその利益および優先権を主張するものであり、その開示内容は、本明細書に参照により組み込まれる。
【０００２】
本開示は、飲料用ボトルおよびその他の容器のためのキャップおよび王冠に関し、具体的には、手で引っ張って開けるボトルキャップに関する。
【背景技術】
【０００３】
栓抜きを使用することなく、手で比較的容易に開く飲料用ボトルは、飲料製造業者に長年にわたり求められてきた。ボトルキャップは、内容物の漏出を防止し、圧力損失を防止し（加圧または炭酸飲料の場合）、内容物の衛生状態を維持するために、ボトル開口部にしっかりと固定されていなければならない。しっかりとした封止は、ボトルを手で開けるのを困難にする。
【０００４】
キャップは、交換可能に王冠とも称されるが、王冠を、一連の凹状円弧が開口部の円周の周囲にある状態で容器の開口を覆って下方へ圧着することによって、ボトル開口部に固定される。円弧は、各凹状円弧の間に、鋭利な凸状の点を作り出す。円弧および点は、しばしば、当業者に「ヒダ」と称される。
【０００５】
よく知られたねじ切りボトルキャップの登場は、手でのボトル開栓における著しい進歩であったが、キャップを回して外すのにキャップを非常に強く握らなくてはならないため、キャップのヒダが手や指に苦痛を与えることがあまりにも頻繁である。手を怪我しないように、ボトルキャップをシャツの端または布で包んでからキャップを回すことがよく行われる。
【０００６】
飲料用缶用に使われるものに類似の、プルタブを有して適応されたボトルキャップが、中国およびその他のアジア地域で知られている。例えば、１９９９年３月４日を優先日とする、Ｌｉｕによる特許文献１（国際出願第ＰＣＴ／ＣＮ００／０００４０号）を参照されたい。しかしながら、このようなプルタブボトルキャップは、開けるのが難しいことで有名である。なぜなら、それらは、封止を破り、次いで、タブを引っ張って戻して（金属を裂く）、キャップを取り外すのに、想定外の量の力の発揮を要するためである。
【０００７】
ボトルキャップのための別のプルタブの解決方法は、ＭａｘｉＣｒｏｗｎ（登録商標）として知られ、例えば、１９８８年９月６日に特許付与された、Ｍａｇｎｕｓｓｏｎの特許文献２に説明されている。ＭａｘｉＣｒｏｗｎ（登録商標）は、王冠の延長部分としてボトルの首部の側面に沿って配置されるプルリングを提供するが、そのために、標準的なヒダをつけるボトル蓋締機で使用するのに問題がある。実際に、ＭａｘｉＣｒｏｗｎ（登録商標）でボトルに蓋をするには、特別な蓋締機が推奨される。
【先行技術文献】
【特許文献】
【０００８】
【特許文献１】国際公開第００／５１９０６号
【特許文献２】米国特許第４，７６８，６６７号明細書
【発明の概要】
【発明が解決しようとする課題】
【０００９】
したがって、手で簡単に開けることができ、さらに、当技術分野において周知の標準的なボトル蓋締機を用いて、ボトル開口部の周囲にしっかり封着されるボトルの王冠が求められている。
【課題を解決するための手段】
【００１０】
上記した目的を達成するために、本発明の一態様において、容器開口部のための破断可能な王冠であって、前記王冠が、取付部を有する頂部部分と、前記頂部部分から降下し、底部環状縁部で終端する環状スカートと、前記頂部部分に対して前記取付部で取り付けられるオープナアセンブリと、破断可能な罫書き構成であって、前記取付部から前記スカートの底部環状縁部まで連続的に半径方向へ延在する第１の罫書き線と、第２の曲線をなす罫書き線であって、前記頂部部分の取付部から前記スカートの環状側壁まで連続的に半径方向へ延在する上側半径方向セグメント、および前記上側半径方向セグメントから、前記スカートの底部環状縁部から実質的に離間した終点まで前記スカートの環状側壁に沿って周囲に延在する下側環状セグメントを備える第２の曲線をなす罫書き線とを備える、破断可能な罫書き構成と、を備える。
【００１１】
また、本発明の別の態様によると、容器開口部のための破断可能な王冠であって、前記王冠が、取付部を有する頂部部分と、前記頂部部分から降下し、底部環状縁部で終端する環状スカートと、前記頂部部分に対して前記取付部で取り付けられるオープナアセンブリと、破断可能な罫書き構成であって、前記取付部から前記スカートの底部環状縁部まで連続的に半径方向へ延在する第１の曲線をなす罫書き線と、第２の曲線をなす罫書き線であって、前記頂部部分の前記取付部から前記スカートの環状側壁まで連続的に半径方向へ延在する上側半径方向セグメント、および前記上側半径方向セグメントから、前記スカートの底部環状縁部から実質的に離間した終点まで前記スカートの環状側壁に沿って周囲に延在する下側環状セグメントを備える、第２の曲線をなす罫書き線とを備える、破断可能な罫書き構成と、を備える。
【００１２】
後述の詳細な説明は、実施形態の非限定的な例として、表記の図面を参照し、図面においては、参照番号は、図面のいくつかの図を通じて、同じ部分を表している。
【図面の簡単な説明】
【００１３】
【図１】従来技術のボトルキャップの具体的な例示的実施形態を示す上面図である。
【図２Ａ】本開示のボトルキャップの具体的な例示的実施形態を示す側方鉛直断面図である。
【図２Ｂ】図２Ａのボトルキャップの代替的な具体的な例示的実施形態を示す側方鉛直断面図である。
【図３Ａ】本開示のボトルキャップの代替的な具体的な例示的実施形態を示す側方鉛直断面図である。
【図３Ｂ】図３Ａのボトルキャップの代替的な具体的な例示的実施形態を示す側方鉛直断面図である。
【図４】本開示のボトルキャップの代替的な具体的な例示的実施形態を示す側方鉛直断面図である。
【図５】本開示の王冠の代替的な実施形態の側方断面図の概略図である。
【図６】本開示の王冠のさらに別の代替的な実施形態の側方断面図の概略図である。
【図７】図６の王冠の代替的な実施形態の側方断面図の概略図である。
【図８】本開示の王冠の別の代替的な実施形態の側方断面図の概略図である。
【図９】本開示の王冠のさらに別の代替的な実施形態の側方断面図の概略図である。
【図１０】本開示の王冠のさらなる代替的な実施形態の上面図の概略図である。
【図１１】本開示の王冠の代替的な実施形態の等角上面図の概略図である。
【図１２】図１１の王冠の代替的な実施形態の等角上面図の概略図である。
【図１３】図１１の王冠の代替的な実施形態の等角上面図の概略図である。
【図１４】図１３の王冠の代替的な実施形態の側方断面図の概略図である。
【図１５】図１４の王冠の代替的な実施形態の側方断面図の概略図である。
【図１６】図１３の王冠の代替的な実施形態の等角上面図の概略図である。
【図１７】図１３の王冠の代替的な実施形態の上面図の概略図である。
【図１８Ａ】本開示の切れ目の実施形態の側方断面図の概略図である。
【図１８Ｂ】図１８Ａの切れ目の代替的な実施形態の側方断面図の概略図である。
【図１８Ｃ】図１８Ａの切れ目の代替的な実施形態の側方断面図の概略図である。
【図１９】本開示の王冠の底部の等角図の概略図である。
【図２０Ａ】各実施形態が、王冠の頂部の中心から王冠の環状縁部まで延在する、曲線をなす左手の罫書き線を有する、本開示の王冠の代替的な実施形態の概略上面図である。
【図２０Ｂ】各実施形態が、王冠の頂部の中心から王冠の環状縁部まで延在する、曲線をなす左手の罫書き線を有する、本開示の王冠の代替的な実施形態の概略上面図である。
【図２０Ｃ】各実施形態が、王冠の頂部の中心から王冠の環状縁部まで延在する、曲線をなす左手の罫書き線を有する、本開示の王冠の代替的な実施形態の概略上面図である。
【図２０Ｄ】各実施形態が、王冠の頂部の中心から王冠の環状縁部まで延在する、曲線をなす左手の罫書き線を有する、本開示の王冠の代替的な実施形態の概略上面図である。
【図２０Ｅ】各実施形態が、王冠の頂部の中心から王冠の環状縁部まで延在する、曲線をなす左手の罫書き線を有する、本開示の王冠の代替的な実施形態の概略上面図である。
【図２１】中心を外したプルタブ位置を示す、本開示の王冠の代替的な実施形態の概略上面図である。
【図２２】代替的な罫書き線を有する図２１の王冠の代替的な実施形態の概略上面図である。
【図２３】別の代替的な罫書き線を有する図２１の王冠の代替的な実施形態の概略上面図である。
【図２４】圧着ヒダを持たない本開示の王冠の代替的な実施形態の概略等角図である。
【図２５Ａ】本開示の王冠の未破壊の罫書き線の概略断面図である。
【図２５Ｂ】図２４の実施形態の破壊後の罫書き線の概略断面図である。
【図２６】本発明の縮小ゲージ王冠を示す等角側面図である。
【図２７Ａ】図２６の王冠を示す上面図である。
【図２７Ｂ】図２７Ａの王冠の側方断面図である。
【図２８Ａ】本開示の王冠の代替的な実施形態を示す上面図である。
【図２８Ｂ】図２８Ａの王冠の側方断面図である。
【図２９Ａ】本開示の王冠の別の代替的な実施形態を示す上面図である。
【図２９Ｂ】図２９Ａの王冠の側方断面図である。
【発明を実施するための形態】
【００１４】
１つまたは２つ以上の様々な態様、または実施形態、または具体的な特徴もしくは下位構成要素、またはこれらの組み合わせを通して、上記を考慮し、そうして、本開示は、利点のうちの１つまたは２つ以上を引き出すように意図され、これは、本説明から明らかになる。本開示は、説明および例として、１つまたは２つ以上の具体的な実施形態を参照する。したがって、用語、実施例、図面および実施形態は、説明のためであり、本開示の範囲の限定を意図するものではないことが理解される。以下の説明において、「王冠」および「キャップ」の語は、交換可能に用いられることがある。
【００１５】
図１は、従来技術のボトルキャップの具体的な例示的実施形態の上面図である。図１のレバータイプの開けやすいキャップは、王冠１、プルタブリング２、プルタブ３、鋲４、およびレバー５を有し得る。３０度の水平角を形成し得る切断線６は、王冠キャップ１の背面に提供され得る。意義深いことには、切断線６は、王冠１の端縁までは延在せず、代わりに、リング２またはその近くで終端する。複数のヒダ７は、キャップ１を円形のボトル開口部の周囲に圧着することによって形成され得る。この図には示されていないが、鉛直断面では、従来技術の切断線６は、切断長さ沿いに実質的に同じ深さプロファイルに保たれる。これらの様々な特徴の結果、容器開口部から図１の王冠を開封して取り外すのに手に過度の力を要することもある。
【００１６】
王冠またはキャップ１は、プルタブ３にレバー５によって結合され得る。レバー５とプルタブ３とは接合されて、単一のユニットになり得る。同様に、プルタブ３とプルタブリング２は、単一の部品であってもよい。プルタブ３の他方の端部は、鋲４によって、王冠キャップ１のキャップ本体上の表面の略中央にしっかりと固定され得る。
【００１７】
図２Ａは、本開示のボトルキャップの具体的な例示的実施形態の側方鉛直断面図である。プルタブリング２、プルタブ３および鋲４は、まとめて、本明細書においてオープナアセンブリと称されることもある。オープナアセンブリ機構を用いる代わりに、手で回すことにより王冠１をボトルから選択的に取り外すための内ねじ８が提供されてもよい。
【００１８】
切断線６は、キャップ１の周縁にあるヒダ７からキャップ１の略中央に向けて下方に先細にされて、先細の引裂き溝を提供する。例えば、先細の溝の深さは、キャップ１の周縁付近で約０．０３から０．０２ｍｍの範囲の深さから、キャップ１の中心付近の鋲４のそばで約０．１０から０．０８ｍｍまで徐々に変化してもよい。
【００１９】
図２Ｂは、図２Ａのボトルキャップの代替的な具体的な例示的実施形態の側方鉛直断面図である。図２Ｂの実施形態には、ねじ８がないため、上述のオープナアセンブリを用いて手で開けるように適応されている。王冠１の部分とみなされる周縁または周縁領域７ａもまた示されており、これは、ボトルの開口部を覆って圧着されて、ヒダを形成し、王冠をボトルに固定してもよい。周縁７ａは、ボトル開口部上の王冠１が湾曲し始める部分付近、またはその部分のわずかに内側から、ヒダ７の終端まで延在するとみなされ得る。
【００２０】
キャップ１の中心付近の引裂き溝の終端９は、実質的に垂直であるとして図２Ａおよび図２Ｂに示されているが、当業者には当然のことながら、本開示のボトルキャップの具体的な実施形態で用いられた引裂き溝の選択されたプロファイルまたは寸法は、設計上および工学上の選択の問題であり、したがって、本開示は、そのような関連で制限するものとして理解されるべきではない。例えば、本開示は、終端９が本開示の目的に沿って湾曲され、傾斜され、またはその他の方法で成形されてもよいことを企図している。
【００２１】
図３Ａは、本開示のボトルキャップの代替的な具体的な例示的実施形態の側方鉛直断面図である。図３Ａの実施形態では、切断線６は、終端９で、またキャップ１の周縁にあるヒダ７に向けて先細になって、図２Ａおよび図２Ｂの実施形態とは異なる別の方法で先細にされた引裂き溝を提供する。中心に向けて、また周縁に向けてキャップ１の厚さが増加するように切断線６の溝を先細にすることで、代替的な引裂き溝は提供されて、キャップ１を手で引き剥がすのに十分な量の力だけが必要とされるようにしてもよい。
【００２２】
図３Ｂは、図３Ａのボトルキャップの代替的な具体的な例示的実施形態の側方鉛直断面図である。図３Ｂの実施形態には、ねじ８がないため、上述のオープナアセンブリを用いて手で開けるように適応されている。
【００２３】
図２Ａ、図２Ｂ、図３Ａ、または図３Ｂの実施形態のいずれかのように、溝の深さを切断線６に沿って変えることにより、キャップ１は、王冠１を手で引き剥がすのに十分な量の力だけが必要とされやすくする引裂き溝を提供する。以下に詳述するように、推奨される王冠１の寸法の範囲および材料組成が開示されて、十分な量の力だけで手で開け得る王冠をさらに提供する。
【００２４】
操作においては、タブ３近くのリング２を把持して、切断線６に沿って引き上げて戻しながら、リング２をレバー５に対して旋回させるようにする。キャップ１が実質的に引き裂かれて、キャップ１がボトルから容易に取り外され得るまで、手の力でキャップ１を線６に沿って引き裂き続ける間、レバー５および鋲４は、連携して作用して、中央でキャップ１を開ける。切断線６の引裂き溝は、キャップ１を線６に沿って手で引き裂くのを容易にする。
【００２５】
有利なことに、図２Ａおよび図３Ａの実施形態は、ヒダ７の内側に沿ってねじ８が提供されて、王冠１が、ボトルから王冠１を回す、またはねじって開けることによって、別の方法で開けられるように適応されるようにしてもよい。さらに代替的に、キャップ１は、栓抜きまたはその他の手段を用いて取り外されて、ボトルからキャップをポンと抜くようにしてもよい。
【００２６】
図４は、本開示のボトルキャップの代替的な具体的な例示的実施形態の側方鉛直断面図である。ねじ８の代わりに、またはこれに加えて、王冠１は、図４に示されるように形成されて、図２の周縁７ａに比べて長尺の周縁７ｂを有してもよい。標準的な王冠をねじ口ボトルの上に固定することは、問題がある場合もある。なぜなら、ねじ山は、ボトル開口部の外側の表面積を増やすためである。標準的な王冠は、ねじ口ボトルの追加の表面積を覆って延在するには、大きさが十分でないこともある。長尺の周縁７ｂは、王冠１がねじ口ボトル開口部を覆って圧着され得るようにする、有利な代替的な実施形態であり得て、長尺のヒダ７ｃを提供する。さらなる利点は、図４の王冠は、図２Ａおよび図３Ａに示されるように王冠それ自体が内部にねじを切られずとも、ねじ口ボトルからねじって外されてもよいことである。
【００２７】
レバー５は、てこの作用および王冠１のブリキ材料を引裂く追加のせん断力のために提供される。
図５は、本開示の王冠の代替的な実施形態の側方断面図の概略図である。図５の実施形態では、レバー５は省かれて、プルタブリング２およびプルタブ３が、王冠１の頂部に隣接するようにする。本開示の王冠は、プルタブリング２の下に窪み１０を提供して、リング２を手で把持するのを容易にしてもよい。つまり、窪み１０は、指先または指の爪が収まって、リング２に上向きの力を及ぼす空間を提供し得る。
【００２８】
図６は、本開示の王冠のさらに別の代替的な実施形態の側方断面図の概略図である。切れ目６は、周縁７ａ内に延在して、ヒダ７に向けて下方に王冠１の縁部まで湾曲するようにする。
【００２９】
図７は、図６の王冠の代替的な実施形態の側方断面図の概略図である。切れ目６は、図６と同じく周縁７ａ内に延在するが、切れ目６の深さは、先述のように変化する深さを有するのではなく、その長さに沿って実質的に一様である。
【００３０】
図８は、本開示の王冠の別の代替的な実施形態の側方断面図の概略図である。プルタブリング２は、１つまたは２つ以上の弓型部分１１を提供されて、指先または指の爪がその下に入るように上昇させた空間を提供することによって、リング２を手で把持するのを容易にしてもよい。弓型部分１１は、説明することのみを目的に示されている。上昇や湾曲の量や角度は、具体的な実施形態における設計上の選択であり得る。
【００３１】
図９は、本開示の王冠のさらに別の代替的な実施形態の側方断面図の概略図である。ライナ１２は、王冠１の下に鋲４で固定される。クッション１３は、プルタブリング２の下に配置されて、リング２を手で把持するのを容易にし、リング２を把持した時の金属と皮膚の接触を減らすことによって、感触の良さをさらに提供する。図５の窪み１０に類似の窪み１４は、凹みがプルタブリング２の下に延在して、指先または指の爪が、プルリング２の下により簡単に置くことができて、手で王冠の取り外しを容易にし得るような、王冠１の凹まされた部分であってもよい。
【００３２】
図１０は、本開示の王冠のさらなる代替的な実施形態の上面図の概略図である。プルタブリング２、プルタブ３および鋲４は、図示されていない。切れ目６は、通常、周縁７ａに向かって仮想中心線６ａから分岐する。本開示は、例えば、別の分岐角の６ｂ（破線）、または、周縁７ａに向けて収束する切れ目６ｃ（点線）を企図している。線は、実質的に平行でさえあり得る。収束または分岐、および選択された度合いまたは線を分ける角度は、わずか１本または無しであることもある切れ目の数の問題であり、設計上の選択の問題である。したがって、本発明は、特定の王冠の工学的設計に選択され得る切れ目のすべての置き換えを企図している。さらに、図１０は、王冠の円周の周囲に２８個のヒダを有するように形成された本王冠の実施形態を示している。
【００３３】
図１１は、本開示の王冠の代替的な実施形態の等角上面図の概略図である。Ｅａｓｙ  Ｐｕｌｌ（商標）プルタブ装置は、切れ目６ｄおよび６ｅをより端的に示すために、図示されていない。好ましい実施形態では、切れ目６ｅのうちの１つは、王冠１のヒダ部分７に沿って延在する、Ｓ字形の湾曲または末尾セグメント６ｆを提供する。部分７はまた、本明細書においてスカート７と称されることもあり、これは、王冠１の頂部から切れ目なく隣接して降下する。スカート７は、以下本開示においてさらに詳細に説明される。Ｓ字形の湾曲６ｆは、王冠１を容器開口部から取り外すのを容易にし得る。操作においては、中心１５から切れ目６ｄおよび６ｅに沿って引き剥がす。裂け目がＳ字形の湾曲６ｆに到達すると、引き剥がし力は、切れ目６ｄから離れる方向にＳ字形の湾曲をたどり、切れ目６ｄに沿って終端１６まで裂け目を押し進め、これによって、王冠１を壊して開ける。Ｓ字形の湾曲６ｆに沿って続く引き剥がし力は、容器開口部（図示せず）から離すようにヒダ部分７を引っ張り、王冠１を容器（図示せず）から開放する。Ｓ字形の湾曲６ｆは、オープナアセンブリからスカートまで放射軸に沿って延在する上側半径方向セグメントを有する罫書き線と、環状方向にスカートの周囲に沿って延在し、上側半径方向セグメントの終端から延在する下側環状セグメントとからなり、下側環状セグメントが、スカートの下側縁部に関連する第１の水平面から等距離にある第２の水平面に画定される。
【００３４】
図１１に示される別の特徴は、王冠１内に押し下げられ、かつ、本開示のプルリング装置によって覆い隠されることのないように配置されるディンプルなどの１つまたは２つ以上の損傷指示器１７である。真空包装容器では、損傷指示器１７は、圧力封止が失われた場合には飛び出してくる。
【００３５】
図１２は、図１１の王冠の代替的な実施形態の等角上面図の概略図である。この場合もやはり、Ｅａｓｙ  Ｐｕｌｌ（商標）プルタブ装置は、切れ目をより端的に示すために、図示されていない。図１２の実施形態は、中心１５から外向きに延在する単一の切れ目６を提供し得る。切れ目６は、王冠１の縁部まで延在する切れ目６ｄと、図１１で説明したＳ字形の湾曲部分６ｆ内に湾曲する切れ目６ｅとに枝分かれまたは分岐する。
【００３６】
図１３は、図１１の王冠の代替的な実施形態の等角上面図の概略図である。図１１の王冠１は、中心１５ａにおいてプルリング２でポンと開けられている。プルタブ３は王冠１に鋲４で結合され、手の力を加えて、切れ目６ｄおよび切れ目６ｅに沿って引き裂くように配置される。１つまたは２つ以上の円形の窪み１８は、王冠１の頂部１７に空間を生み出して、プルリング２および残りのオープナ装置を据え付ける。
【００３７】
図１４は、図１３の王冠の代替的な実施形態の側方断面図の概略図である。スカート７は、頂部１７と切れ目なく隣接する肩部１９から降下する。座部１８の深さは、プルリング２が王冠１の頂部１７と実質的に同一平面になるのに十分である。このような実施形態は、有利なことに、設備を一新したり再装備したりすることなしに、従来型のボトル蓋締機で使用するのに適する。座部１８のさらなる利点は、座部１８が座部の周囲に波形の周囲を形成することであり、波形化は、波形化の方向に対して実質的に垂直方向の曲げにおいて、平らな板を強化することが良く知られる。したがって、座部１８は、王冠１の強化の追加の利点を提供する。座部１８によって提供される強化された王冠のさらなる利点は、王冠の厚さが、標準的な王冠で利用されるものよりも、より低ゲージ（より薄い）王冠材料に低減され得ることであり、ひいては、材料製造のコストを低減する。図１４は、王冠の円周の周囲に２７個のヒダを有するように形成された本王冠の実施形態を示しているが、当業者には当然のことながら、座部１８の利点は、ヒダの存在や数に依存していない。
【００３８】
図１５は、図１４の王冠の代替的な実施形態の側方断面図の概略図である。座部１８は、図１４に示されるよりも浅いため、プルリング２は、王冠１の頂部１９のわずかにまたは部分的に上に据え付けられている。このような実施形態は、手で開けるのに容易に利用しやすいプルリング２を有する利点を提供し得る。許容範囲によるが、このような実施形態は、標準的なボトル蓋締機での使用に適することもある。
【００３９】
図１５はまた、代替的な実施形態を示しており、そこでは、ライナ１２が、王冠１の下面に適切な接着剤で取り付けられ、かつ、鋲４の底部を覆うように配置される。このような実施形態は、鋲４がライナ１２を王冠１の下側に所定の位置に固定する、図９に示されるものと区別される。
【００４０】
図１６は、図１３の王冠の代替的な実施形態の等角上面図の概略図である。ここで、王冠１は、切れ目６ｄの終端１６で壊されて開けられている。さらにプルリング２でＳ字形の湾曲６ｆに沿って引裂くことにより、容器（図示せず）をヒダ７から開放し、王冠１を容器から取り外す。
【００４１】
図１７は、図１３の王冠の代替的な実施形態の上面図の概略図である。図１７の実施形態は、プルタブ３上に印刷されて、簡単に開けるために切れ目６を利用するためにリング２を引っ張る方法の概要を示す、曲げ矢印２０などの印刷された物を提供する。印刷された指示２１によりさらなる使用法が提供されてもよく、例えば、「ＬＩＦＴ  ＲＩＮＧ  ＰＵＬＬ  ＤＯＷＮ  ＴＯ  ＲＥＭＯＶＥ（リングを上げてから、引き下げて取り外します）」と表示してもよい。さらに、注意警告２２を王冠１上に印刷してもよい。
【００４２】
図１８Ａは、本開示の切れ目の実施形態の側方断面図の概略図である。引裂き溝を形成するには、特定の製造業者の工学上の選択に応じて、様々な断面プロファイルのうちの任意の１つまたは２つ以上を得るように切れ目６が機械加工される。例えば、図１８Ａは、正方形または矩形の断面プロファイルを示している。
【００４３】
図１８Ｂは、図１８Ａの切れ目の代替的な実施形態の側方断面図の概略図である。ここで、切れ目６の湾曲した断面形状が示されている。
図１８Ｃは、図１８Ａの切れ目の代替的な実施形態の側方断面図の概略図である。切れ目６のＶ字形の断面プロファイルが示されている。
【００４４】
図１９は、本開示の王冠の底部の等角図の概略図である。ライナ１２は、王冠の下側の頂部に付着し、鋲４の底部を覆って配置されている。さらに、図１９は、王冠の縁部の周囲に２１個のヒダを有するように形成された本王冠の実施形態を示している。
【００４５】
図２０Ａから図２０Ｅは、各実施形態が、王冠の頂部の中心から王冠の環状縁部まで延在する、曲線をなす左手の罫書き線を有する、本開示の王冠の代替的な実施形態の概略上面図である。本開示の王冠を開けることにより鋭利部分を生じる危険を減らすために、様々な代替的な実施形態は、プルタブ部分が引き剥がされた後に、王冠の縁部に沿って緩やかな湾曲をなす罫書き、切れ目または引裂き線を提供する。したがって、図２０Ａから図２０Ｅにおけるそれぞれの代替的な切れ目２０、２２、２４、２６、および２８は、（王冠の頂部を見下ろして見られるように）左に弧を描いて、プルタブ部分が引き裂かれ、王冠から剥がされた場合、鋭利部分ではなく、王冠の縁部に沿って緩やかに湾曲する形状を残すようにする。曲線をなす罫書き線２０、２２、２４、２６、および２８を示す各実施形態２０Ａから２０Ｅは、互いに異なる湾曲の度合いを有し、これは、所望の性能特性を得るために選択された湾曲量に関係する工学上または設計上の選択の問題である。比較的平坦な罫書き線２０は、滑らかな縁部を生じるが、引き裂くのにより多くの力を要することもある一方、例えば、比較的より湾曲した罫書き線、例えば２８は、引き裂くのに要する力がより少ないが、罫書き線２０の縁部とは異なる形状のものを生じる。罫書き線３０は、右に弧を描き、王冠の縁部に至る前に終端して、王冠が、ボトルまたはそれが封をしていたいかなる容器でも、それらから王冠が取り外された後に単一の部品として保たれるようにする。
【００４６】
図２１は、中心を外したプルタブ位置を示す、本開示の王冠の代替的な実施形態の概略上面図である。鋲４および残りのオープナアセンブリが中心を外した位置を有する本王冠の実施形態は、例えば、普通、オープナアセンブリを容器に対して縁部付近に有する、スープまたは豆のような缶詰製品のための容器などの非飲料用容器に有利である。引き剥がし線６Ｇおよび引き剥がし線６Ｈは、王冠１の頂部１７を縁部１６まで実質的に直線的に横切る。したがって、鋲孔もしくは鋲４または王冠１オープナアセンブリの王冠１の頂部上の位置は、大部分が工学的設計上の選択の問題である。中心を外した鋲の王冠の実施形態は、その他の実施形態について本明細書に上記したように開封される。
【００４７】
図２２は、代替的な罫書き線を有する図２１の王冠の代替的な実施形態の概略上面図である。図２２の実施形態における罫書き線６Ｇおよび罫書き線６Ｈは、図２１とは対照的に、スカート７に鋲４から直接降下するが、上述の実施形態の線６に類似している。罫書き線６Ｇは、縁部１６に降下する一方で、線６Ｈは、その長さにわたって、実質的に縁部１６から頂部７まで等距離に維持しながら、反対方向に尾を引いている。罫書き線６Ｈは、オープナアセンブリからスカート７まで放射軸に沿って延在する上側半径方向セグメントを有する罫書き線と、環状方向にスカート７の周囲に沿って延在し、上側半径方向セグメントの終端からスカート７の底部環状縁部１６から実質的に離間した終点まで延在する下側環状セグメントとからなる。好ましくは、下側環状セグメントは、上述の罫書き線６ｆのＳ字形の湾曲において画定されたものより長い水平面を画定し、例えば、スカート７の円周の約４分の１分延在する。
【００４８】
図２３は、代替的な罫書き線を有する図２１の王冠の代替的な実施形態の概略上面図である。王冠１を引き裂いて開けるための罫書き線は、端部でスカート７に、王冠縁部１６まで降下するだけの頂部１７の近くでほぼ完全な円を囲む。図２３の実施形態は、例えば、大きな開口部が内容物に届きやすくするような、スープやシチューなどの飲料以外の製品のための容器で利用される場合に、有利である。
【００４９】
図２４は、圧着ヒダを持たない本開示の王冠の代替的な実施形態の概略等角図である。図２４の実施形態は、フルーツジュースなどのための圧力封止された王冠に相当し、これは、圧着せずに容器の頂部を覆って巻きつく。本実施形態はまた、医療用容器またはバイアルで使用するのに有利である。鋲４を有するオープナアセンブリは、中心を外してあるが、その他の点では、王冠１は先述のように開封される。
【００５０】
図２５Ａは、本開示の王冠の未破壊の罫書き線の概略断面図である。図２５Ｂは、図２５Ａの実施形態の破壊後の罫書き線の概略断面図である。本開示の王冠の有利な安全機構は、罫書き線６の製造において達成される。図２５Ａおよび図２５Ｂをまとめて説明すると、線６は、線６の両側の上の部分が、断面プロファイルにおいて湾曲した縁部６Ｍおよび６Ｎを有するように王冠１上に罫書きされる。線６により形成される封止は、向き合った手の指を合わせて押すことにより形成される封止に類似していてもよい。各指の先端は、湾曲していて、２本の指が合わせられたとき、封止が形成され得る。本オープナアセンブリを用いて王冠１を開けて図２５Ａの罫書き線６が引き裂かれると、王冠１は、湾曲した、または丸みを帯びた２つの縁部６Ｍ、６Ｎを、指を引き離すように形成する。鋭利でない縁部６Ｍ、６Ｎは、破断可能な罫書き線６を破壊した際にそれぞれ形成される。
【００５１】
図２５Ａおよび図２５Ｂの罫書き線６が有利である理由は、王冠１をオープナアセンブリで引き裂いて開けることにより生じる鋭利部分を減らすためである。丸みを帯びた引裂き縁部６Ｍ、６Ｎは、それ以外の場合よりも、開封された王冠を劇的に鋭利部分からの危険の少ない状態にする。
【００５２】
さらに罫書き線６に関し、本開示の王冠の１つの考慮すべき事柄は、一度オープナアセンブリで開けられた後の王冠１の材料が引裂かれ得る容易さである。引き裂きの容易さは、王冠材料を引裂くのにかけなければならない引張力の量に関係する。必要な引張力を低減することにより、王冠１材料の線６に沿った引き裂きの容易さを高める添加剤を含む、当技術分野において知られる王冠コーティングまたはラッカーを用いることで、引張力が低減され得る、つまり、引き裂きの容易さが増す。具体的な実施形態はまた、王冠の下側に取り付けられたライナのための分解性プラスチック添加物を含んで、使用済みの王冠が廃棄物として排気された後、ライナが生分解するのを容易にしてもよい。様々な市販の生分解性プラスチック添加剤が当技術分野において知られ、１つまたは２つ以上のこのような添加剤の選択は、設計上の選択の問題である。
【００５３】
本明細書に説明される様々な構造に加えて、従来技術に勝る特定の利点は、表１に示される推奨される仕様により本王冠に与えられる。
【００５４】
【表１】
2014531372.tif 000003
Ｔ−３およびＴ−５の実施形態が特定の製品には有利ではあるのだが、特に、ロックウェル３０Ｔ硬度スケールでおよその硬度Ｔ−４を実証するブリキ材料は、本キャップに好ましい（表１の項目３を参照）。好ましい柔らかいブリキ材料は、容器の内容物を依然として十分に封止しつつ、本王冠の開封アセンブリの開封および引き剥がしするために必要な力が少なくてすむ。この説明の目的で、ブリキは、スズまたはスズ合金を含む、王冠が製作され得る任意の材料を指し、王冠がスズまたはスズ合金から作られることを必ずしも意味していない。
【００５５】
約２．５ｋｇ（キログラム）またはそれ未満の本開示のプルリングの引張力が好ましい（表１の項目１１参照）。実質的に全ての人が、本開示の王冠を用いて、余力を残してボトルを開けることができるように、このような比較的小さい引張力が推奨される。対照的に、比較的大きい引張力は、ブリキ板を引き裂くのに非常に多くの初期力を要するという欠点を有し、さらに、ひとたびブリキ板が破り開けられると、突然引張力が解除されて、ボトルがユーザから急に離れ、しばしば激しく内容物を漏出してしまう。
【００５６】
ブリキ板の硬度が低いことに加えて、王冠の薄さまたはゲージもまた、小さい引張力を達成するのに貢献し得る。例えば、本発明の王冠の厚さは、０．２８ｍｍであることが推奨される（表１の項目２参照）。典型的なボトルの王冠の厚さは、０．２８ｍｍまたはそれより大きい。座部を設けた実施形態などの王冠材料が波形化により強化される実施形態は、標準的な王冠よりも薄く、例えば、約０．１６ｍｍと薄いゲージを有する。
【００５７】
前述の実施形態に加えて、追加的な実施形態は、さらなる利点をもたらす縮小ゲージ王冠を提供する。
世界中で何十億ものキャップが使用されており、キャップのコストは、大部分は、キャップに要する材料の量によって決まる。このようなコストを削減する一つの方法は、各王冠に用いられる材料の量を減らすことである。材料の量は、王冠を薄く作る、すなわち王冠のゲージを縮小することにより削減し得る。縮小ゲージは、より少ない材料を用いることによって達成され得るが、王冠を脆弱にすることにより王冠の一体性を悪化させ得る。別の手法は、より少ない材料を用いるが、より強い材料を用いることであろう。しかしながら、より強い材料は、王冠の製造において一般的に用いられる標準的なブリキ板よりもより高価であり得ることから、コスト削減の目的には本末転倒となる。強度を損なうことなしに、材料の量を抑制するが、同じ材料を用いる手法は、王冠を波形化することである。このような波形化は、例えば、頂部に座部を形成されて、オープナアセンブリを受ける本王冠を説明する図１３に関して、本明細書に説明されている。以下は、波形化の利点を利用する本王冠の低ゲージ実施形態の説明である。
【００５８】
ここで図２６を参照すると、王冠１は、座部１８で終わる凹部１２０に切れ目なく隣接する頂部部分１１０を含む。スカート７は、頂部１１０から下方に延在する。一部の具体的な実施形態では、フランジは、スカート７から斜めに延在する。交互に並ぶ溝１５０と山１５２は、スカート７の円周部分に形成される。王冠１、および図面に示されるその他の王冠は、てこで開けるプライオフタイプとして示されている。本発明はまた、王冠キャップ技術の当業者であれば理解されるように、回して開けるねじ切りタイプ（図示せず）も包含する。最後に、王冠１は、上述のように、王冠１００に有効な罫書き線をエンボス加工した状態で、座部１３０に取り付けられるプルタブタイプアセンブリとの使用に適する。
【００５９】
座部１８は、凹設される、すなわち、頂部１１０よりも低いが、簡便のために本明細書では凹部１２０と称する移行面１２０によって、頂部１１０に切れ目なく隣接している。凹部１２０は、様々な適切なやり方で王冠１に形成されて、有利な形状を提供してもよい。例えば、具体的な例示的な実施形態では、図２６に示されるように、同心円状の層、溝または階段が、所望の座部１８の深さが得られるまで、王冠１材料に一体的に形成される。代替的な実施形態では、凹部１２０は、頂部１１０から座部１８まで滑らかに湾曲した表面で形成される。凹部１２０の形態は、曲げや歪みに対して座部１８を強化するのを助けると推定される、リブまたは構造補強として機能する。
【００６０】
スカート７は、頂部１１０から王冠１の外周に沿って降下し、具体的な例示的な実施形態では、下方かつ半径方向外側に延在するフランジに滑らかに融合する。スカート７は、好ましくは、密閉のために、ボトルの首部に圧着されるように適応される。スカート７の具体的な例示的な実施形態は、波状の繰り返し部分に分割され、これは、溝１５０および山１５２を画定する。好ましくは、繰り返し部分は、円周に等間隔に配置されて、各溝１５０が、王冠１の円周上の周りのすべてのその他の溝１５０と同じであるようにし、また各山１５２が、王冠１の円周上の周りのすべてのその他の山１５２と同じであるようにする。当然のことながら、王冠キャップ１は、いかなる数の溝１５０および山１５２を含んでいてもよい。
【００６１】
ここで、図２７Ａおよび図２７Ｂ、図２８Ａおよび図２８Ｂならびに図２９Ａおよび図２９Ｂを参照すると、各図示された実施形態の「Ｂ」図は、その対応する「Ａ」図の線Ｂ−Ｂにおける水平方向の断面図である。各実施形態は、２７Ａ／Ｂ、２８Ａ／Ｂおよび２９Ａ／Ｂで指定され、それぞれ各実施形態の幅Ｂ２１０、３１０、４１０として表されるその座部１８の特定の直径、およびそれぞれ深さ２２０、３２０、４２０として表される凹部１２０の深さＡを特徴とする。
【００６２】
波形化による一定量の材料強化は、例えば、座部直径２１０、座部直径３１０または座部直径４１０、および、例えば、凹部深さ２２０、凹部深さ３２０または凹部深さ４２０の特定の組み合わせで実施形態を選択することにより達成される。例えば、例示的な実施形態２７Ａ／Ｂは、比較的広い座部直径２１０、および中程度の深さの凹部深さ２２０を有する。例示的な実施形態２８Ａ／Ｂは、中程度の幅の座部直径３１０、および３つの例示的な実施形態の中で最も深い凹部深さ３２０を有する。例示的な実施形態２９Ａ／Ｂは、実施形態の中で最も狭い座部直径４１０、および３つの実施形態の中で最も浅い凹部深さ４２０を有する。波形化により所望量の材料強化を達成するには、例えば、座部幅２１０、座部幅３１０、または座部幅４１０、および、例えば、凹部深さ２２０、凹部深さ３２０、または凹部深さ４２０の組み合わせは、具体的な実施形態を達成するように選択される。［００１８］波形化は、材料を強固にする。このことは、シート状または平面状に形成された層状材料に特に当てはまる。材料を波形にして、横方向の強度を付与したならば、層状製品は、材料の使用量を減らすことができる。ボトルキャップは、しばしば鋼鉄またはブリキ板であるシート材料が、ボトルまたはその他の容器の頂部に固定されるように成形される層状製品である。標準的なプライオフまたはねじ切りのキャップの材料の厚さは、漏れ防止およびキャップの容器への取り付けの堅牢性を考慮することにより主に決定される。
【００６３】
波形化で、より少ない量の材料を使用して、標準的な厚さの王冠に等しい強さを有するキャップが可能となる。波形にされたキャップは、標準的なボトルキャップに比べて、より薄く、すなわち縮小ゲージである。縮小ゲージキャップの利点は、より少量の材料を用いることによる費用節減である。
【００６４】
縮小ゲージ波形キャップの別の利点は、本明細書に上記したように、王冠に取り付けられたプルタブアセンブリを有する新型「プルオフ」キャップで作用し始める。プルタブは、キャップ材料を破壊し、そして王冠は、オープナアセンブリのプルタブリングを用いてボトルから引きはがされる。縮小ゲージキャップは、引き剥がしを容易にする。これは、キャップ材料が薄く、引き剥がし動作が波形化により与えられた材料強化の方向に平行であり、したがって、引き剥がす力が波形化による材料強化を超える必要がないためである。波形化は、波形化の方向に対して垂直に材料強化することができる。
【００６５】
本明細書の図面に示された構造に加えて、その他の構造は、本開示のキャップに波形化の利点を与え、ボトルのための縮小ゲージ王冠を提供することがわかる。例えば、スカートの頂部から座部の中心に向けて進む同心円状の輪、および、キャップの平面に形成された星、ブランドロゴ、スポーツチームのロゴ、宗教的な標章などの装飾的な形状は、本明細書に包含される。
【００６６】
波形化の形態は、金属プレス、加圧成形、エンボス加工などを含むがこれに限定されない様々な手段でボトルキャップに提供されてもよい。本開示の非金属王冠は、プラスチック王冠に対しては射出成形により、またはその他の適切な製造手段により形成されてもよい。
【００６７】
プライオフまたはねじ切りのための実施形態などの、本明細書に説明される波形王冠キャップの具体的な実施形態は、現在商業生産されている従来型の王冠キャップよりも硬度を高めた鋼鉄で形成される。例えば、従来型の王冠キャップは、０．２１ｍｍから０．２３ｍｍの厚さを有する一回圧延Ｔ４ブリキ板からしばしば形成される。このようなブリキ板は、ＡＳＴＭ６２３に準拠して、３０Ｔ硬度スケール上で約６１の平均硬度（すなわち、正／負の変動に関わらず報告された硬度の値）を有する。本明細書に説明される王冠キャップ１は、従来技術と比べて、より薄くかつ軽量に作られ得、例えば、王冠キャップ１は、従来型のより厚いキャップと同じまたはほぼ同等の性能を有する、約０．１６ｍｍから０．１８ｍｍの厚さを有する材料から形成されてもよい。これらの金属使用の減少は、王冠キャップ１の構造がより高い硬度の鋼鉄で作られる場合、より容易に達成される。例えば、本発明者は、ＤＲ８（ＡＳＴＭ６２３準拠）またはＤＲ５５０（ＥＮ１０２０３準拠）を用いて、溝を有する縮小ゲージ王冠の有効性を実証した。選択的に、本発明者は、一回圧延ブリキ板または強化焼き戻しをされた同様の材料、本明細書に説明されるものと類似の特性を有する無錫鋼などのその他の材料が使えるであろうと推測している。
【００６８】
王冠キャップ１は、好ましくは、３０Ｔスケール（ＡＳＴＭ６２３に適合）で６２よりも大きい平均硬度を有し、より好ましくは、約６５よりも大きく、より好ましくは、約６８よりも大きく、より好ましくは、約７１よりも大きい。図２６および図２８Ａに示される実施形態は、７３の硬度を有する鋼鉄を用いて有効であることが実証された。硬度の上限は、圧着プロセス中にガラス製ボトルの許容し得る最大応力、またはより硬いプレートに関係するスプリングバック（これは、圧着したフランジを非圧着状態に押す傾向がある）により規定される。
【００６９】
王冠キャップ１は、構造（溝、十字、星、およびディンプルなど）を形成するための工具の部品へのわずかな変更のみで、従来型のプレス機器で形成されてもよい。そして、王冠キャップ１は、既存の従来型の捲縮機に比べて、小さい喉厚を有するように変更するたけで、従来型の機器で圧着されてもよい。
【００７０】
硬度は、降伏点に反映されるように、強度に関係があることから、王冠の硬度の状況は、対応するスケールの降伏点で表され得る。例えば、ＤＲ８またはＤＲ５５０ブリキ板の（引張試験における）降伏点は、５５０ＭＰＡであり得る。
【００７１】
しかしながら、当然のことながら、プルタブオープナの実施形態では、より柔らかいブリキ板などの、Ｔ４またはアルミニウムよりも柔らかい材料は、開封および引き裂きの容易さを促進することから、有利である。波形化によりもたらされる強度は、容器の確実な閉鎖に要する強度を維持しながら、比較的柔らかい王冠材料を使用するのを可能にする。本発明者は、最も有利な王冠キャップ実施形態は、確実な閉鎖のための強度と、開封および引き裂きの容易さのための柔らかさとの組み合わせを有し、これは、設計上および工学上の選択の問題であると考えている。本開示の王冠は、本明細書における構造、または材料、または利点、またはこれらの組み合わせのうちのすべてを有するわけではない王冠キャップを包含する。
【００７２】
この説明によれば、本開示にしたがって形成される商業的に受け入れられる王冠キャップは、多くの従来型の王冠キャップに比べて、２５パーセントまで少ない材料（例えば、鋼鉄またはブリキ）で商業的に作られ得る。これは、炭酸ガス放出において同様の利点を有する。材料の重量の節減は、金属の厚さの減少にほぼ比例する。さらに、個々の王冠を冷却するのに要するエネルギーはわずかであるが、毎年製造される王冠全数（北米において約４５０億個、そして全世界で約３０００億個）を冷却するのに要するエネルギー、およびエネルギーにおける同様の減少は、非常に大きい。
【００７３】
縮小ゲージ王冠は、ブリキまたは鋼鉄、およびＰＶＣ／非ＰＶＣライナ材料のコスト削減に影響を与え、これは、添加剤により可能となり、金属王冠と、ＰＶＣまたは非ＰＶＣライナとの両方を「稼働中の埋立地」において生分解性にする。
【００７４】
ＲＧＣの輸送コスト関して、結果として得られる低い製造量および重量とともに、同様に、ＣＯ２排出を削減する。
ビールまたは炭酸飲料業界で王冠の製造に用いられるブリキまたは鋼鉄は、０．２１ｍｍから０．２４ｍｍの間で異なる。本縮小ゲージ王冠は、０．１７ｍｍから０．１９ｍｍの間の厚さを用い得る。標準的なプライオフまたはねじ切り王冠の重量は、約２．３８グラムであるが、縮小ゲージ王冠の重量は、約２．１４グラムであり、１０％重量削減は、材料コストの節約をもたらす。
【００７５】
縮小ゲージ王冠のさらなる恩恵は、王冠の輸送コストにみられる。重量削減は、輸送燃料コストの節約、運搬用車両の損傷、および輸送の際の二酸化炭素排出量の削減に関係する。標準的なボトルの王冠は、表１に示されるように、習慣的にカートン当たり１０、０００個梱包されているが、本王冠の縮小ゲージ王冠実施形態では、カートンには１１、０００個の王冠が入り、したがって、エネルギー、輸送、および二酸化炭素排出量を削減する。
【００７６】
縮小ゲージ王冠実施形態の利点には、限定するものではないが、製造におけるコスト節減、より低い王冠１個当たりの価格、より低い輸送コスト、より低い荷役コスト、および削減された二酸化炭素排出量が含まれる。
【００７７】
上述の実施形態のすべてに加えて、工学上、設計上またはマーケティング上の選択として、追加的な特徴が実施形態のそれぞれで用いるのに適しており、それは、サーモクロミックインクと称される感熱変色インクの利用であり、これは例えば、Ｃａｒｂａｌｌｉｄｏの米国特許第６，６３４，５１６号に説明されており、これは、本明細書に参照により全体を組み込まれる。サーモクロミックインクは、室温（約２１℃）である色となり、例えば、標準的な小売りの冷蔵温度である４℃に冷蔵された場合、異なる色となるように、変色する特性を有する。例示的な用途では、例えば、インクは室温では透明であるが、冷凍温度では、比較的不透明かつ視認可能となるため、顧客が、容器に触ることなく、およその温度を目で見て確認できる。
【００７８】
本明細書に記載の実施形態の説明は、様々な実施形態の構造の一般的な意味解釈を提供することを意図しており、それらは、本明細書に記載の構造を利用し得る装置およびシステムのすべての要素および特徴の完全な記述として作用するようには意図されていない。多くのその他の実施形態が、上記の説明を検討することによって、当業者には明らかとなろう。その他の実施形態は、そこから利用および導出され得るため、構造的、材料、および論理的な置き換えおよび変化は、本開示の範囲を逸脱することなしに成され得る。図面は単に代表であり、縮尺通りに描かれていないこともある。その特定の比率は、強調されていることもあり、他方、最小限にされていることもある。したがって、本明細書および図面は、制限する意味ではなく、説明の意味であるとみなされるべきである。
【００７９】
本発明の主題のこのような実施形態は、単に簡便のために、また２つ以上が実際に開示されている場合、この適用の範囲をいかなる単一の発明または発明概念にも自ら制限することを意図することなしに、本明細書において、個別および集合の両方、またはいずれか一方として、「発明」の語で称され得る。このように、具体的な実施形態が図示され、説明されてきたが、当然のことながら、同じ目的を達成するために計画されるあらゆる構成は、示された具体的な実施形態の代替となり得る。本開示は、様々な実施形態のあらゆるすべての応用または変形を包含することを意図している。上記実施形態、および本明細書に具体的に説明されていないその他の実施形態の組み合わせは、上記の説明を検討することによって、当業者には明らかとなろう。
【００８０】
本開示の要約書は、読み手が技術開示の本質を迅速に決定し得る要約書を求める米国特許法施行規則１．７２（ｂ）にしたがって提供される。これが特許請求の範囲について範囲および意味を解釈または限定するものではないという理解のもとにしたがっている。加えて、上記発明を実施するための形態において、開示を簡素化する目的で、単一の実施形態で様々な特徴がグループにまとめられていることがわかる。この開示方法は、請求される実施形態が、各請求項において明確に列挙されたものよりも多くの特徴を要するという意図を反映するものと解釈されるべきではない。むしろ、特許請求の範囲が反映するように、発明の主題は、開示された単一の実施形態のすべての特徴よりも少ない。このように、以下の特許請求の範囲は、各請求項がそれ自体独立して別々の実施形態として存在する状態で、ここに発明を実施するための形態に組み込まれる。
【００８１】
本説明は、いくつかの例示的な実施形態を参照してきた。しかしながら、使用された語は、限定の語ではなく、説明および図解のための語であることが理解されよう。変更は、本開示の範囲および精神からその全態様において逸脱することなしに、現在表明されているように、また補正されたように、添付の特許請求の範囲における範囲内でなされ得る。説明は特定の手段、材料および実施形態に言及しているが、本開示は、開示された具体例に限定されることを意図していない。むしろ、本開示は、添付の特許請求の範囲における範囲内であるものなどのすべての機能的に等価な技術、構造、方法および使用に広がっている。
【図１】
2014531372.tif 000004
【図２Ａ】
2014531372.tif 000005
【図２Ｂ】
2014531372.tif 000006
【図３Ａ】
2014531372.tif 000007
【図３Ｂ】
2014531372.tif 000008
【図４】
2014531372.tif 000009
【図５】
2014531372.tif 000010
【図６】
2014531372.tif 000011
【図７】
2014531372.tif 000012
【図８】
2014531372.tif 000013
【図９】
2014531372.tif 000014
【図１０】
2014531372.tif 000015
【図１１】
2014531372.tif 000016
【図１２】
2014531372.tif 000017
【図１３】
2014531372.tif 000018
【図１４】
2014531372.tif 000019
【図１５】
2014531372.tif 000020
【図１６】
2014531372.tif 000021
【図１８Ａ】
2014531372.tif 000022
【図１８Ｂ】
2014531372.tif 000023
【図１８Ｃ】
2014531372.tif 000024
【図１９】
2014531372.tif 000025
【図２０Ａ】
2014531372.tif 000026
【図２０Ｂ】
2014531372.tif 000027
【図２０Ｃ】
2014531372.tif 000028
【図２０Ｄ】
2014531372.tif 000029
【図２０Ｅ】
2014531372.tif 000030
【図２１】
2014531372.tif 000031
【図２２】
2014531372.tif 000032
【図２３】
2014531372.tif 000033
【図２４】
2014531372.tif 000034
【図２５Ａ】
2014531372.tif 000035
【図２５Ｂ】
2014531372.tif 000036
【図２６】
2014531372.tif 000037
【図２７Ａ】
2014531372.tif 000038
【図２７Ｂ】
2014531372.tif 000039
【図２８Ａ】
2014531372.tif 000040
【図２８Ｂ】
2014531372.tif 000041
【図２９Ａ】
2014531372.tif 000042
【図２９Ｂ】
2014531372.tif 000043
【図１７】
2014531372.tif 000044
【手続補正書】
【提出日】平成25年5月6日(2013.5.6)
【手続補正１】
【補正対象書類名】特許請求の範囲
【補正対象項目名】全文
【補正方法】変更
【補正の内容】
【特許請求の範囲】
【請求項１】
容器開口部のための破断可能な縮小ゲージ王冠であって、前記王冠が、
０．１２ｍｍから０．２３ｍｍの範囲の王冠厚さゲージと、
取付部を有する頂部部分と、
前記頂部部分から降下し、底部環状縁部で終端する環状スカートと、
前記頂部部分に対して前記取付部で取り付けられるオープナアセンブリと、
破断可能な罫書き構成であって、
前記取付部から前記スカートの底部環状縁部まで連続的に半径方向へ延在する第１の罫書き線と、
第２の曲線をなす罫書き線であって、
前記頂部部分の取付部から前記スカートの環状側壁まで連続的に半径方向へ延在する上側半径方向セグメント、および
前記上側半径方向セグメントから、前記スカートの底部環状縁部から実質的に離間した終点まで前記スカートの環状側壁に沿って周囲に延在する下側環状セグメントを備える第２の曲線をなす罫書き線とを備える、破断可能な罫書き構成と
を備え、
前記第１の罫書き線および前記第２の曲線をなす罫書き線のうちの少なくとも１つが、断面で見た場合に対向する湾曲した縁部を有する部分と接触することによって形成される、容器開口部のための破断可能な縮小ゲージ王冠。
【請求項２】
前記オープナアセンブリが、
プルタブリングと、
前記プルタブリングに取り付けられるプルタブと、
前記プルタブおよび前記頂部部分の取付部に取り付けられる鋲と
をさらに備える、請求項１に記載の王冠。
【請求項３】
前記オープナアセンブリが、前記プルタブの下にレバーをさらに備える、請求項２に記載の王冠。
【請求項４】
前記頂部部分が中心部分をさらに備え、前記取付部が前記中心部分にある、請求項１に記載の王冠。
【請求項５】
前記頂部部分が中心部分をさらに備え、前記取付部が前記中心部分を外してある、請求項１に記載の王冠。
【請求項６】
前記頂部部分が、陥凹した座部をさらに備える、請求項２に記載の王冠。
【請求項７】
前記罫書き線のうちの少なくとも１本が先細にされて、前記スカートの底部環状縁部付近で、前記取付部付近よりも深くなる、請求項１に記載の王冠。
【請求項８】
手で王冠を外すのを容易にするために、前記頂部部分上に窪みを備える、請求項１に記載の王冠。
【請求項９】
前記頂部部分および前記スカートの反対側かつこれらに画定される内側下部と、前記内側下部に留められたライナとをさらに備える、請求項１に記載の王冠。
【請求項１０】
前記プルタブリングの上にクッションをさらに備える、請求項１に記載の王冠。
【請求項１１】
前記頂部部分が波形にされる、請求項１に記載の王冠。
【請求項１２】
０．１２ｍｍから０．１８ｍｍの範囲の王冠厚さゲージをさらに備える、請求項１に記載の王冠。
【請求項１３】
前記破断可能な罫書き構成が、前記破断可能な王冠の破断可能部分を画定し、前記破断可能部分が、前記取付部から前記スカートの底部環状縁部まで外向きに延在し、前記破断可能部分が、断面において湾曲したプロファイル形状を有する、請求項１に記載の王冠。
【請求項１４】
前記破断可能な罫書き構成が、前記破断可能な王冠の破断可能部分を画定し、前記破断可能部分が、前記取付部から前記スカートの底部環状縁部まで外向きに延在し、前記破断可能部分が、断面において正方形の形状を有する、請求項１に記載の王冠。
【請求項１５】
前記破断可能な罫書き構成が、前記破断可能な王冠の破断可能部分を画定し、前記破断可能部分が、前記取付部から前記スカートの底部環状縁部まで外向きに延在し、前記破断可能部分が、断面においてＶ字形の形状を有する、請求項１に記載の王冠。
【請求項１６】
前記破断可能な罫書き構成の前記罫書き線のうちの少なくとも１本が、壊す際の鋭利でない縁部をもたらす、請求項１に記載の王冠。
【請求項１７】
前記スカートが、複数のヒダを備える、請求項１に記載の王冠。
【請求項１８】
前記スカートが、ヒダをもたない、請求項１に記載の王冠。
【請求項１９】
前記第１の罫書き線が曲線をなす、請求項１に記載の王冠。
【請求項２０】
容器開口部のための破断可能な縮小ゲージ王冠であって、前記王冠が、
０．１２ｍｍから０．２３ｍｍの範囲の王冠厚さゲージと、
取付部を有する頂部部分と、
前記頂部部分から降下し、底部環状縁部で終端する環状スカートと、
前記頂部部分に対して前記取付部で取り付けられるオープナアセンブリと、
破断可能な罫書き構成であって、
前記取付部から前記スカートの底部環状縁部まで連続的に半径方向へ延在する第１の曲線をなす罫書き線と、
第２の曲線をなす罫書き線であって、
前記頂部部分の前記取付部から前記スカートの環状側壁まで連続的に半径方向へ延在する上側半径方向セグメント、および
前記上側半径方向セグメントから、前記スカートの底部環状縁部から実質的に離間した終点まで前記スカートの環状側壁に沿って周囲に延在する下側環状セグメントを備える、第２の曲線をなす罫書き線と
を備える、破断可能な罫書き構成と
を備え、
前記第１の曲線をなす罫書き線および前記第２の曲線をなす罫書き線のうちの少なくとも１つが、断面で見た場合に対向する湾曲した縁部を有する部分と接触することによって形成される、容器開口部のための破断可能な縮小ゲージ王冠。
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
容器開口部のための破断可能な王冠であって、前記王冠が、
中心を外した取付部を有する頂部部分であって、前記中心を外した取付部が、前記頂部部分を波形化する頂部部分と、
前記頂部部分から降下し、底部環状縁部で終端する環状スカートと、
前記頂部部分に対して前記取付部で取り付けられるオープナアセンブリと、
破断可能な罫書き構成であって、
前記取付部から前記スカートの底部縁部まで連続的に半径方向へ延在する第１の罫書き線と、
曲線をなす第２の罫書き線であって、
前記頂部部分の取付部から前記スカートの環状側壁まで連続的に半径方向へ延在する上側半径方向セグメントと、
前記上側半径方向セグメントから、前記スカートの底部環状縁部から実質的に離間した終点まで前記スカートの環状側壁に沿って周囲に延在する下側環状セグメントと、
を備える、曲線をなす第２の罫書き線と、
を備える、破断可能な罫書き構成と、
を備える、容器開口部のための破断可能な王冠。
【請求項２】
前記オープナアセンブリが、
プルタブリングと、
前記プルタブリングに取り付けられるプルタブと、
前記プルタブおよび前記頂部部分の取付部に取り付けられる鋲とをさらに備える、請求項１に記載の王冠。
【請求項３】
前記オープナアセンブリが、前記プルタブの下にレバーをさらに備える、請求項２に記載の王冠。
【請求項４】
前記頂部部分が、陥凹した座部をさらに備え、前記陥凹した座部が、その中に前記オープナアセンブリの少なくとも一部分を受けるような寸法にされる、請求項１に記載の王冠。
【請求項５】
前記罫書き線のうちの少なくとも１本が先細にされて、前記スカートの底部環状縁部付近で、前記取付部付近よりも深くなる、請求項１に記載の王冠。
【請求項６】
手で王冠を外すのを容易にするために、前記頂部部分上に窪みを備える、請求項１に記載の王冠。
【請求項７】
前記頂部部分および前記スカートの反対側かつこれらに画定される内側下部と、前記内側下部に留められたライナとをさらに備える、請求項１に記載の王冠。
【請求項８】
前記プルタブリングの上にクッションをさらに備える、請求項１に記載の王冠。
【請求項９】
前記頂部部分が波形にされる、請求項１に記載の王冠。
【請求項１０】
０．１２ｍｍから０．１８ｍｍの範囲の王冠厚さゲージをさらに備える、請求項１に記載の王冠。
【請求項１１】
前記破断可能な罫書き構成が、前記破断可能な王冠の破断可能部分を画定し、前記破断可能部分が、前記取付部から前記スカートの底部縁部まで外向きに延在し、前記破断可能部分が、断面において湾曲したプロファイル、正方形のプロファイル、またはＶ字形のプロファイルから選択されるプロファイル形状を有する、請求項１に記載の王冠。
【請求項１２】
前記破断可能な罫書き構成の罫書き線のうちの少なくとも１本が、断面で見た場合に対向する湾曲した縁部を有する部分と接触することによって形成されて、前記少なくとも１本の罫書き線が、壊す際に鋭利でない縁部をもたらすようにする、請求項１に記載の王冠。
【請求項１３】
前記破断可能な罫書き構成の罫書き線のうちの少なくとも１本が、鋭利でない縁部をもたらす、請求項１に記載の王冠。
【請求項１４】
前記スカートが、複数のヒダを備える、請求項１に記載の王冠。
【請求項１５】
前記第１の罫書き線が曲線をなして、
前記頂部部分の取付部から前記スカートの環状側壁まで連続的に半径方向へ延在する上側半径方向セグメントと、
前記上側半径方向セグメントから、前記スカートの底部環状縁部にある終点まで前記スカートの環状側壁に沿って曲線をなして延在する下側環状セグメントと、
を備える、請求項１に記載の王冠。
【請求項１６】
容器開口部のための破断可能な王冠であって、前記王冠が、
取付部を有する頂部部分と、
前記頂部部分から降下し、底部環状縁部で終端する環状スカートと、
前記頂部部分に対して前記取付部で取り付けられるオープナアセンブリと、
破断可能な罫書き構成であって、
第１の曲線をなす罫書き線であって、
前記頂部部分の取付部から前記スカートの環状側壁まで連続的に半径方向へ延在する上側半径方向セグメントと、
前記上側半径方向セグメントから、前記スカートの底部環状縁部にある終点まで前記スカートの環状側壁に沿って曲線をなして延在する下側環状セグメントと、
を備える第１の曲線をなす罫書き線と、
第２の曲線をなす罫書き線であって、
前記頂部部分の取付部から前記スカートの環状側壁まで連続的に半径方向へ延在する上側半径方向セグメントと、
前記上側半径方向セグメントから、前記スカートの底部環状縁部から実質的に離間した終点まで前記スカートの環状側壁に沿って周囲に延在する下側環状セグメントと、
を備える、第２の曲線をなす罫書き線と、
を備える、破断可能な罫書き構成と、
を備える、容器開口部のための破断可能な王冠。
【請求項１７】
前記オープナアセンブリが、
プルタブリングと、
前記プルタブリングに取り付けられるプルタブと、
前記プルタブおよび前記頂部部分の取付部に取り付けられる鋲と、
をさらに備える、請求項１６に記載の王冠。
【請求項１８】
前記オープナアセンブリが、前記プルタブの下にレバーをさらに備える、請求項１７に記載の王冠。
【請求項１９】
前記頂部部分が、中心部分をさらに備え、前記取付部が、前記頂部部分の中心部分にある、請求項１６に記載の王冠。
【請求項２０】
前記頂部部分が、中心部分をさらに備え、前記取付部が、前記頂部部分の中心部分を外してある、請求項１６に記載の王冠。
【請求項２１】
前記頂部部分が、陥凹した座部をさらに備え、前記陥凹した座部が、その中に前記オープナアセンブリの少なくとも一部分を受けるような寸法にされる、請求項１６に記載の王冠。
【請求項２２】
前記罫書き線のうちの少なくとも１本が先細にされて、前記スカートの底部環状縁部付近で、前記取付部付近よりも深くなる、請求項１６に記載の王冠。
【請求項２３】
手で王冠を外すのを容易にするために、前記頂部部分上に窪みを備える、請求項１６に記載の王冠。
【請求項２４】
前記頂部部分および前記スカートの反対側かつこれらに画定される内側下部と、前記内側下部に留められたライナとをさらに備える、請求項１６に記載の王冠。
【請求項２５】
前記プルタブリングの上にクッションをさらに備える、請求項１６に記載の王冠。
【請求項２６】
前記頂部部分が波形にされる、請求項１６に記載の王冠。
【請求項２７】
０．１２ｍｍから０．１８ｍｍの範囲の王冠厚さゲージをさらに備える、請求項１６に記載の王冠。
【請求項２８】
前記破断可能な罫書き構成が、前記破断可能な王冠の破断可能部分を画定し、前記破断可能部分が、前記取付部から前記スカートの底部縁部まで外向きに延在し、前記破断可能部分が、断面において湾曲したプロファイル、正方形のプロファイル、またはＶ字形のプロファイルから選択されるプロファイル形状を有する、請求項１６に記載の王冠。
【請求項２９】
前記破断可能な罫書き構成の罫書き線のうちの少なくとも１本が、壊す際に鋭利でない縁部をもたらす、請求項１６に記載の王冠。
【請求項３０】
前記スカートが、複数のヒダを備える、請求項１６に記載の王冠。
【請求項３１】
前記破断可能な罫書き構成の罫書き線のうちの少なくとも１本が、断面で見た場合に対向する湾曲した縁部を有する部分と接触することによって形成されて、前記少なくとも１本の罫書き線が、壊す際に鋭利でない縁部をもたらすようにする、請求項１６に記載の王冠。
【国際調査報告】
2014531372.tif 000045